(57)【要約】【課題】浴室床を高くすることなくユニットバス化を容易に実現できる浴室の排水構造及び施工方法を提供すること。【解決手段】浴室ユニット１の排水構造６は、筒状に形成されるアダプター筒部６１０及びアダプター筒部６１０の上部外周面から水平方向に延出する外側フランジ６１１を有する目皿アダプター６１と、目皿アダプター６１の上方に配置される目皿カバー６３と、を備え、目皿アダプター６１は、アダプター筒部６１０が床部２０の排水口２１に挿通された状態で排水口側排水管１１の上端部に接続されるとともに、外側フランジ６１１が床部２０の上側に固定される。【選択図】図３
2019090181.tif 000002
【特許請求の範囲】
【請求項１】
床スラブに設置される床部の開口部と前記床スラブから立ち上がる排水管を接続する浴室ユニットの排水構造であって、
筒状に形成されるアダプター筒部及び前記アダプター筒部の上部外周面から水平方向に延出する外側フランジを有する目皿アダプターと、
前記目皿アダプターの上方に配置される目皿カバーと、
を備え、
前記目皿アダプターは、
前記アダプター筒部が前記床部の前記開口部に挿通された状態で前記排水管の上端部に接続されるとともに、前記外側フランジが前記床部の上側に固定される浴室ユニットの排水構造。
【請求項２】
前記目皿アダプターの上方で前記床部に固定されるとともに前記アダプター筒部の内側に連通する開口部を有し、前記目皿カバーを下から支持する目皿枠を備え、
前記開口部の外側であって前記目皿枠と前記目皿アダプターの間に空間が形成される請求項１に記載の浴室ユニットの排水構造。
【請求項３】
前記目皿枠と前記目皿アダプターの間に形成される前記空間に配置され、前記開口部の外側を囲う止水パッキンを備える請求項２に記載の浴室ユニットの排水構造。
【請求項４】
前記目皿枠には、
外側から前記開口部に向かうにつれて下がるスロープが形成され、前記スロープの下側に前記空間が形成される請求項２又は３に記載の浴室ユニットの排水構造。
【請求項５】
前記目皿アダプターは、
前記アダプター筒部の上部内周面から水平方向に延出する内側フランジを有し、
前記内側フランジは、少なくともその一部が前記排水管の上端面に上下方向で重なる請求項１から４の何れかに記載の浴室ユニットの排水構造。
【請求項６】
床スラブから立ち上がる排水管の位置に開口部が合うように前記床スラブに床部を設置する工程と、
筒状に形成されるアダプター筒部及び前記アダプター筒部の上部外周面から水平方向に延出する外側フランジを有する目皿アダプターの前記アダプター筒部を前記床部の前記開口部に挿通して前記排水管の上端部に接続するとともに、前記外側フランジを前記床部の上側に固定する工程と、
前記アダプター筒部の内側に連通する開口部を有する目皿枠を前記目皿アダプターの上方で前記床部に固定する工程と、
目皿カバーを前記目皿枠に設置する工程と、
を含む浴室ユニットの施工方法。
【発明の詳細な説明】
【技術分野】
【０００１】
本発明は、床部から排水管に排水を導く浴室ユニットの排水構造に関する。
【背景技術】
【０００２】
浴室ユニットの床部にはシャワー排水やトイレ排水等を外部に排出するための排水口が設けられる。例えば、特許文献１には、防水パンの洗い場側方に浴槽を設置するようにした浴室ユニットの排水装置において以下の構成が記載されている。防水パンには、浴槽の排水栓に対応する下方位置に貫通孔部を形成する。貫通孔部に排水用ソケットを嵌入して排水ソケットに排水トラップを防水パンの裏側で連結する。可撓性をもつ連結継手により、浴槽の排水栓と排水用ソケットを連結する。
【０００３】
浴室ユニットの床部は、湿式工法や乾式工法によって床スラブに固定される。次に、図面を参照して湿式工法と乾式工法の従来例について説明する。まず、図１４Ａ〜図１４Ｅを参照して浴室ユニットの床部を湿式工法によって施工する例について説明する。集合住宅等の場合、排水口に接続される排水管は、コンクリートスラブ等の床スラブを通して階下へ導く経路が一般的である。まず、図１４Ａに示すように、開口部１０１，１０２を有する床スラブ１０を形成し、図１４Ｂに示すように、排水口側排水管１１を開口部１０１に通した後、モルタル１３で開口部を埋めるようにして固定するとともに、トイレ側排水管１２を開口部１０２に固定する。図１４Ｃに示すように、コンクリート１５０を床スラブ１０に施工して床部１２０を配置する。図１４Ｄに示すように、排水口側排水管１１及びトイレ側排水管１２の長さを揃え、目皿受け１０６を排水口側排水管１１に取り付けるとともに、トイレ側排水管１２に排水構造１０８を取り付ける。なお、排水構造１０８を使用せず、トイレ側排水管１２を適当な高さに切断しトイレと直接接続することもある。図１４Ｅには、図１４Ｄで説明した工程の後、排水構造１０８を介して便器７とトイレ側排水管１２が接続された浴室ユニットが示されている。
【０００４】
次に、図１５に示す横引き配管を用いた乾式工法による施工例について説明する。図１５に示す方法では、床スラブ１０の上で水平方向に延びる配管２１１を配置し、この配管２１１を床部２２０の排水口２０６やトイレ用の排水構造２０７に接続する。乾式工法では、工場出荷時に排水口２０６、排水構造２０７、配管２１１を床部に接続しておくことも可能であり、湿式工法に対して作業性及び工期短縮のメリットがある。
【先行技術文献】
【特許文献】
【０００５】
【特許文献１】実開平６−８７４７８号公報
【発明の概要】
【発明が解決しようとする課題】
【０００６】
作業性の向上や工期の短縮を実現するために図１４Ａ〜図１４Ｅを参照して説明したような湿式工法からユニットバスを用いた乾式工法に変更することが考えられる。しかし、図１４Ａ〜図１４Ｅで示したような床スラブ１０の下から排水管が延び出るような構成では、予め工場で床部に排水管を取り付けると輸送時や床部設置時に排水管が他の部材に干渉し、輸送性や作業性が低下するおそれがある。一方で、図１５で説明した排水管を横引きする方法は、乾式工法ではあるものの、床部の下に配管を通す空間が必要になるため、湿式工法に比べて浴室床が高くなって浴室ドアの出入り口段差も高くなってしまう。また、図１４Ａ〜図１４Ｅに示すような床スラブから立ち上った排水管のように自由に取り回すことが難しい建物では、製品誤差や施工誤差等によって生じた排水管と床部の位置ずれの対応を現場で行う必要がある。特許文献１は、可撓性を有する接続継手による歪みを吸収できるとしているものの、接続継手が変形によって負荷を受けることになる上、床部の上方で発生した歪みを吸収できたとしても、床部の下方で床スラブから立ち上る排水管と床部の接続部分の位置ずれに対応することが難しい。特許文献１は、そもそも浴槽の排水構造に関するものであり、図１４Ａ〜図１４Ｅで示したような床スラブから立ち上がる排水管を前提としているものではなかった。
【０００７】
本発明は、浴室床を高くすることなくユニットバス化を容易に実現できる浴室の排水構造及び施工方法を提供することを目的とする。
【課題を解決するための手段】
【０００８】
本発明は、床スラブ（例えば、後述の床スラブ１０）に設置される床部（例えば、後述の床部２０）の開口部（例えば、後述の排水口２１）と前記床スラブから立ち上がる排水管（例えば、後述の排水口側排水管１１）を接続する浴室ユニット（例えば、後述の浴室ユニット１）の排水構造（例えば、後述の排水構造６）であって、筒状に形成されるアダプター筒部（例えば、後述のアダプター筒部６１０）及び前記アダプター筒部の上部外周面から水平方向に延出する外側フランジ（例えば、後述の外側フランジ６１１）を有する目皿アダプター（例えば、後述の目皿アダプター６１）と、前記目皿アダプターの上方に配置される目皿カバー（例えば、後述の目皿カバー６３）と、を備え、前記目皿アダプターは、前記アダプター筒部が前記床部の前記開口部に挿通された状態で前記排水管の上端部に接続されるとともに、前記外側フランジが前記床部の上側に固定される浴室ユニットの排水構造に関する。
【０００９】
前記浴室ユニットの排水構造は、前記目皿アダプターの上方で前記床部に固定されるとともに前記アダプター筒部の内側に連通する開口部（例えば、後述の開口部６２５）を有し、前記目皿カバーを下から支持する目皿枠（例えば、後述の目皿枠６２）を備え、前記開口部の外側であって前記目皿枠と前記目皿アダプターの間に上下方向の空間（例えば、後述の空間３００）が形成されることが好ましい。
【００１０】
前記浴室ユニットの排水構造は、前記目皿枠と前記目皿アダプターの間に形成される前記空間に配置され、前記開口部の外側を囲う止水パッキン（例えば、後述の止水パッキン６４）を備えることが好ましい。
【００１１】
前記目皿枠には、外側から前記開口部に向かうにつれて下がるスロープ（例えば、後述のスロープ６２２）が形成され、前記スロープの下側に前記空間が形成されることが好ましい。
【００１２】
前記目皿アダプターは、前記アダプター筒部の上部内周面から水平方向に延出する内側フランジ（例えば、後述の内側フランジ６１２）を有し、前記内側フランジは、少なくともその一部が前記排水管の上端面に上下方向で重なることが好ましい。
【００１３】
また、本発明は、床スラブ（例えば、後述の床スラブ１０）から立ち上がる排水管（例えば、後述の排水口側排水管１１）の位置に開口部（例えば、後述の排水口２１）が合うように前記床スラブに床部（例えば、後述の床部２０）を設置する工程と、筒状に形成されるアダプター筒部（例えば、後述のアダプター筒部６１０）及び前記アダプター筒部の上部外周面から水平方向に延出する外側フランジ（例えば、後述の外側フランジ６１１）を有する目皿アダプター（例えば、後述の目皿アダプター６１）の前記アダプター筒部を前記床部の前記開口部に挿通して前記排水管の上端部に接続するとともに、前記外側フランジを前記床部の上側に固定する工程と、前記アダプター筒部の内側に連通する開口部（例えば、後述の開口部６２５）を有する目皿枠（例えば、後述の目皿枠６２）を前記目皿アダプターの上方で前記床部に固定する工程と、目皿カバー（例えば、後述の目皿カバー６３）を前記目皿枠に設置する工程と、を含む浴室ユニット（例えば、後述の浴室ユニット１）の施工方法に関する。
【発明の効果】
【００１４】
本発明の浴室ユニットの排水構造及び施工方法によれば、浴室床を高くすることなくユニットバス化を容易に実現できる。
【図面の簡単な説明】
【００１５】
【図１】本発明の一実施形態に係る排水構造が適用される浴室ユニットの構成を示す図である。
【図２】本実施形態のシャワーエリアの排水部の構成を示す分解断面図である。
【図３】本実施形態のシャワーエリアの排水部の設置状態を示す断面図である。
【図４】本実施形態の目皿アダプターの平面図である。
【図５】本実施形態の目皿アダプターの底面図である。
【図６】本実施形態の目皿枠の平面図である。
【図７】本実施形態の目皿枠の底面図である。
【図８】本実施形態の目皿カバーの平面図である。
【図９】本実施形態の水洗トイレの排水構造の構成を示す分解断面図である。
【図１０】本実施形態の水洗トイレの排水構造の設置状態を示す断面図である。
【図１１】本実施形態のトイレアダプターの平面図である。
【図１２】本実施形態のトイレアダプターの使用状態を模式的に示す平面図である。
【図１３Ａ】本実施形態の開口部を有する床スラブを形成する工程の模式図である。
【図１３Ｂ】本実施形態の開口部にモルタルを介して第１排水管及びトイレ側排水管を固定する工程の模式図である。
【図１３Ｃ】本実施形態の床部を設置する工程の模式図である。
【図１３Ｄ】本実施形態の床部に目皿アダプター、目皿枠、目皿カバー及びトイレアダプターを設置する工程の模式図である。
【図１４Ａ】従来の開口部を有する床スラブを形成する工程の模式図である。
【図１４Ｂ】従来の開口部にモルタルを介して排水口側排水管及びトイレ側排水管を固定する工程の模式図である。
【図１４Ｃ】従来の湿式工法によって床部を設置する工程の模式図である。
【図１４Ｄ】従来の床部に目皿受け及びトイレの接続構造を設置する工程の模式図である。
【図１４Ｅ】従来工法で施工した浴室ユニットを示す模式図である。
【図１５】従来の横引き配管を用いた乾式工法によって床部が設置された様子を示す模式図である。
【発明を実施するための形態】
【００１６】
以下、本発明の好ましい実施形態について、図面を参照しながら説明する。図１は、本発明の一実施形態に係る排水構造６が適用される浴室ユニット１の構成を示す図である。
【００１７】
図１に示すように、浴室ユニット１は、シャワーエリア２とトイレエリア３が仕切板４によって仕切られている。浴室ユニット１の床面は、床部２０によって形成されている。本実施形態の床部２０は、ＦＲＰ（Fiber-Reinforced Plastics）を成形して製造される。床部２０のシャワーエリア２には排水を流す排水構造６が設けられ、トイレエリア３には便器７が配置される。
【００１８】
床部２０には排水口側排水管１１に対応する排水口２１が形成される。排水口２１は、排水構造６によって排水口側排水管１１に接続される。排水構造６に流れ込んだ排水は排水口側排水管１１を通じて床スラブ１０の下を通って外部に運ばれる。本実施形態の床部２０は、排水構造６に近づくに従って下がるように傾斜する傾斜面２７，２８が形成される。
【００１９】
床部２０の便器７が配置される部位にはトイレ側排水管１２を通す接続口２２が形成される。接続口２２には、便器７の排水構造８が設置され、該排水構造８を介して便器７がトイレ側排水管１２に接続される。トイレ側排水管１２は、床スラブ１０の下を通って浴室ユニット１外部に運ばれる。
【００２０】
次に、シャワーエリア２に設けられる排水構造６の構成について説明する。図２は、本実施形態のシャワーエリア２の排水構造６の構成を示す分解断面図である。図３は、本実施形態のシャワーエリア２の排水構造６の設置状態を示す断面図である。
【００２１】
図２及び図３に示すように、排水構造６が接続される排水口側排水管１１は、その上端部が床スラブ１０の上面よりも上方に位置した状態で該床スラブ１０に固定される。床スラブ１０は、例えば鉄筋コンクリート等によって構成される床構造である。本実施形態では、防水性及び防音性の観点からモルタル１３を介して排水口側排水管１１が床スラブ１０に保持されている。また、床部２０の排水口２１が形成される部分が凹部２５となっており、排水口２１は、周囲よりも一段下がった場所に位置する。床部２０の凹部２５の外側にはフロアタイル２６が配置されている。なお、床部２０は、フロアタイル２６によって床面を形成するものに限定されるわけではない。例えば、床部の上面が直接床面を形成する構成であってもよい。
【００２２】
排水構造６の構成について説明する。本実施形態の排水構造６は、排水口側排水管１１に配置される目皿アダプター６１と、目皿アダプター６１に被せられる目皿枠６２と、目皿枠６２の上側に置かれる目皿カバー６３と、を主要な構成として備える。
【００２３】
目皿アダプター６１は、排水口側排水管１１の上端部に設置される。本実施形態の目皿アダプター６１は、塩化ビニル等の樹脂材料によって構成される。
【００２４】
図４は、本実施形態の目皿アダプター６１の平面図である。図５は、本実施形態の目皿アダプター６１の底面図である。図３から図５に示すように、目皿アダプター６１は、円筒状に形成されるアダプター筒部６１０と、アダプター筒部６１０の上端部に形成される外側フランジ６１１と、アダプター筒部６１０の上端部に形成される内側フランジ６１２と、から構成される。アダプター筒部６１０、外側フランジ６１１及び内側フランジ６１２は一体的な部材として構成される。
【００２５】
内側フランジ６１２によって目皿アダプター６１上端部の開口部６１５が形成される。本実施形態では、開口部６１５の大きさがアダプター筒部６１０の内径よりも小さく形成されている。また、設置状態では、内側フランジ６１２の下面が排水口側排水管１１の上端面と間隔をあけて対向する位置関係となっている。なお、内側フランジ６１２と排水口側排水管１１が上下方向で隙間なく配置されてもよいが、現場での排水口側排水管１１の切断作業において、切断面が水平にならない等のバラツキを吸収する観点では、内側フランジ６１２の下面が排水口側排水管１１の上端面とが間隔をあけて配置されることが好ましい。
【００２６】
目皿枠６２は、目皿アダプター６１の上端部に設置される。本実施形態の目皿枠６２は、ステンレス等の金属又はＦＲＰ等の樹脂によって構成される。
【００２７】
図６は、本実施形態の目皿枠６２の平面図である。図６に示すように、目皿枠６２は、平面視において矩形の環状に形成されており、中央に矩形の開口部６２５が形成される。図３に示すように、目皿アダプター６１の下部中央には開口部６２５に連通する角筒部６２１が形成されている。なお、開口部６２５は、矩形に限られるわけでなく、円形やその他の多角形等であってもよい。また、本実施形態では、角筒部６２１の下端位置（図３中の上側の二点鎖線）が、排水口側排水管１１の上端位置（図３中下側の二点鎖線）よりも上方に位置するように構成されるが、この構成に限定されない。排水口側排水管１１と目皿アダプター６１の間への水の侵入を防止する観点から、目皿枠６２の角筒部６２１の下端位置が排水口側排水管１１の上端位置よりも下方に位置する構成としてもよい。例えば、角筒部６２１自体を下に延長したり、角筒部６２１の下部に別部材を取り付けたりすることにより、角筒部６２１の下端位置が排水口側排水管１１の上端位置よりも下側に位置させることができる。また、排水口側排水管１１の切断作業において排水口側排水管１１の上部を長めに残して切断することにより、排水口側排水管１１の上端位置が角筒部６２１の下端位置よりも上方に位置させるようにしてもよい。あるいは、内側フランジ６１２の下端面を下側に延長することにより、排水口側排水管１１と目皿アダプター６１の間への水の侵入を防止する構成としてもよい。
【００２８】
目皿枠６２における開口部６２５の周囲には、スロープ６２２が形成される。目皿枠６２のスロープ６２２は、上端面から開口部６２５に近づくにつれて下がるように傾斜している。また、本実施形態のスロープ６２２は、開口部６２５の４辺に対応して４つの領域に分かれている。
【００２９】
図７は、本実施形態の目皿枠６２の底面図である。図７に示すように、目皿枠６２の下端部には、床部２０の上面に対向する設置面６２３が設けられる。設置面６２３は、背面視において目皿枠６２の４辺のそれぞれ形成されている。
【００３０】
目皿カバー６３は、目皿枠６２に載置される。本実施形態の目皿カバー６３は、ステンレス等の金属又はＦＲＰ等の樹脂によって構成される。
【００３１】
図８は、本実施形態の目皿カバー６３の平面図である。図８に示すように、目皿カバー６３は、貫通孔６３０，６３１が形成される矩形のパンチングメタルである。本実施形態の目皿カバー６３は、円形の貫通孔６３１が縦横に並んで形成されており、中央に形成される貫通孔６３０が他の貫通孔６３１よりも大きな径となっている。清掃作業等では、他の貫通孔６３１よりも径の大きい中央の貫通孔６３０に指や器具を差し入れることで容易に目皿カバー６３を取り外すことができる。なお、貫通孔６３０，６３１の形状や配列は、適宜変更することができる。
【００３２】
図３に戻って排水構造６の設置状態について説明する。まず、目皿アダプター６１の固定について説明する。アダプター筒部６１０が排水口２１の内側に納まるとともにアダプター筒部６１０の内側に排水口側排水管１１の上端部が嵌まり込んだ状態で、アダプター筒部６１０の内周面と排水口側排水管１１の外周面が接着剤等によって接着固定される。本実施形態では、排水口側排水管１１が塩化ビニル系の材料で成形されているので塩化ビニル系の接着剤が用いられる。
【００３３】
目皿アダプター６１の外側フランジ６１１の下面には止水パッキン６５が設けられており、該止水パッキン６５によって外側フランジ６１１の下面と凹部２５の底面の間の隙間が埋められる。外側フランジ６１１の外周面には、シリコン等の材料を用いたシーリング６７が施される。
【００３４】
目皿枠６２の固定について説明する。目皿枠６２のスロープ６２２の裏面と外側フランジ６１１の上面との間の空間３００には環状の止水パッキン６４が配置される。また、目皿枠６２の設置面６２３にも止水パッキン６６が配置され、設置面６２３と凹部２５の底面の間の隙間が埋められる。目皿枠６２も、その外側面にシリコン等の材料を用いたシーリング６８が施される。本実施形態では、凹部２５とフロアタイル２６の隙間もシーリング６８によって埋められる。
【００３５】
以上のようにして固定された目皿アダプター６１及び目皿枠６２の上に、目皿カバー６３が設置される。図３の鎖線の矢印１００に示すように、目皿カバー６３の貫通孔６３０，６３１から流入した水は、目皿枠６２のスロープ６２２によって開口部６２５まで導かれ、開口部６２５からアダプター筒部６１０の内側を通って排水口側排水管１１に流れる。また、鎖線の矢印１０３に示すように、排水口側排水管１１から逆流する水が目皿枠６２のスロープ６２２と目皿アダプター６１の外側フランジ６１１の間に入り込もうとしても、環状の止水パッキン６４によって阻止される。
【００３６】
次に、便器７の排水構造８について説明する。図９は、本実施形態の便器７の排水構造８の構成を示す分解断面図である。図１０は、本実施形態の便器７の排水構造８の設置状態を示す断面図である。
【００３７】
図９及び図１０に示すように、床部２０におけるトイレエリア３に形成される接続口２２は、トイレ側排水管１２の位置に対応している。トイレ側排水管１２は、モルタル１３を介して床スラブ１０に保持されている。
【００３８】
便器７は、洗浄水を排水するためのトイレ側排水管７１を備える。図１０に示すように、トイレ側排水管７１は、その下端部がトイレ側排水管１２の内側に嵌め込まれた状態で固定される。トイレ側排水管１２にはトイレアダプター７２が配置される。
【００３９】
トイレアダプター７２について説明する。図１１は、本実施形態のトイレアダプター７２の平面図である。図１２は、本実施形態のトイレアダプター７２の使用状態を模式的に示す平面図である。
【００４０】
図１１に示すように、トイレアダプター７２は、中央に円形の貫通孔７２１が形成される矩形の板状部材である。図１２に示すように、トイレアダプター７２の貫通孔７２１の内径は、床部２０の接続口２２の内径よりも小さく形成されており、この貫通孔７２１の内径よりもトイレ側排水管１２の外径が小さくなっている。また、トイレアダプター７２の下面における貫通孔７２１の外側には円環状の止水パッキン７３が配置される。
【００４１】
図１０に戻ってトイレアダプター７２の設置状態について説明する。トイレアダプター７２は、貫通孔７２１にトイレ側排水管１２を貫通させた状態でフロアタイル２６の上面に置かれており、トイレアダプター７２の下面に位置する止水パッキン７３が接続口２２の外側でフロアタイル２６の上面に接触している。この状態でトイレ側排水管１２の外周面と貫通孔７２１の隙間を塞ぐように、シリコン等の材料を用いたシーリング７５が施される。また、トイレアダプター７２の外周部とフロアタイル２６の間の隙間にも、シリコン等の材料を用いたシーリング７６が施される。そして、トイレ側排水管１２の内側にトイレ側排水管７１が差し込まれ便器７とトイレ側排水管１２が接続される。
【００４２】
次に、上記実施形態のシャワーエリア２の排水構造６及びトイレエリア３の排水構造８を適用した場合の床部２０の施工工程について図１３Ａ〜図１３Ｄを参照して説明する。
【００４３】
図１３Ａに示すように、まず床スラブ１０に排水口側排水管１１の立ち上がり部分を通す開口部１０１及びトイレ側排水管１２の立ち上がり部分を通す開口部１０２を有する床スラブ１０を形成する。床スラブ１０は、鉄筋コンクリートである。なお、開口部１０１，１０２の形成方法は、床スラブ１０を形成した後に加工によって形成してもよいし、開口部が形成されるように床スラブ１０をコンクリート成形してもよく、特に方法が限定されるわけではない。
【００４４】
図１３Ｂに示すように、排水口側排水管１１を開口部１０１に通すとともにトイレ側排水管１２を開口部１０２に通し、開口部１０１，１０２にモルタル１３を施工して排水口側排水管１１及びトイレ側排水管１２を固定する。
【００４５】
図１３Ｃに示すように、床部２０の排水口２１を排水口側排水管１１の位置に合わせるとともに接続口２２をトイレ側排水管１２の位置に合わせて床スラブ１０の上面に設置する。床部２０の足２９が床スラブ１０の上面に設置した状態で、排水口側排水管１１が排水口２１に貫通し、トイレ側排水管１２が接続口２２に貫通した状態となる。
【００４６】
図１３Ｄに示すように、床部２０が設置された状態で排水口側排水管１１に目皿アダプター６１、目皿枠６２及び目皿カバー６３を設置するとともに、トイレ側排水管１２にトイレアダプター７２を設置する。また、必要に応じて排水口側排水管１１及びトイレ側排水管１２の長さを揃える切断処理を行う。なお、目皿アダプター６１、目皿枠６２及び目皿カバー６３の固定方法及びトイレアダプター７２の固定方法は、上述の設置状態の説明の通りである。便器７のトイレ側排水管７１がトイレ側排水管１２に接続され、図１の状態となる。
【００４７】
上記実施形態は以下のように構成される。
即ち、浴室ユニット１の排水構造６は、筒状に形成されるアダプター筒部６１０及びアダプター筒部６１０の上部外周面から水平方向に延出する外側フランジ６１１を有する目皿アダプター６１と、目皿アダプター６１の上方に配置される目皿カバー６３と、を備え、目皿アダプター６１は、アダプター筒部６１０が床部２０の排水口２１に挿通された状態で排水口側排水管１１の上端部に接続されるとともに、外側フランジ６１１が床部２０の上側に固定される。
【００４８】
また、本実施形態の浴室ユニット１の施工方法は、床スラブ１０から立ち上がる排水口側排水管１１の位置に排水口２１が合うように床スラブ１０に床部２０を設置する工程と、目皿アダプター６１のアダプター筒部６１０を床部２０の排水口２１に挿通して排水口側排水管１１の上端部に接続するとともに、外側フランジ６１１を床部２０の上側に固定する工程と、アダプター筒部６１０の内側に連通する開口部６２５を有する目皿枠６２を目皿アダプター６１の上方で床部２０に固定する工程と、目皿カバー６３を目皿枠６２に設置する工程と、を含む。
【００４９】
これにより、床部２０の排水口２１や排水口側排水管１１が製品誤差や施工誤差等によって想定した位置から横ずれしていたとしても、目皿アダプター６１の外側フランジ６１１によって排水口２１が覆われた状態が維持されるので、床部２０の排水口２１を通じた水漏れが防止される。また、所定の基準で径が決まっている排水口側排水管１１に、製造誤差によって径のバラツキがあったとしても、排水口側排水管１１に接続されるアダプター筒部６１０によって誤差を吸収できる。また、設備業者が階下から配管工事を行った後、浴室の施工業者が浴室の工事を行うのが一般的な流れであるが、本実施形態の構成によれば、従来の工程を変えることなく目皿アダプター６１を用いることで、ユニットバスを用いた乾式工法を容易に実現できる。集合住宅や排水官の位置を変えることができないような場合においても浴室のユニットバス（乾式工法）化を促進でき、湿式工法で浴室を工事する場合に比べ、大幅な工期短縮も実現できる。
【００５０】
本実施形態の浴室ユニット１の排水構造６は、目皿アダプター６１の上方で床部２０に固定されるとともにアダプター筒部６１０の内側に連通する開口部６２５を有し、目皿カバー６３を下から支持する目皿枠６２を備え、開口部６２５の外側であって目皿枠６２と目皿アダプター６１の間に上下方向の空間３００が形成される。
【００５１】
これにより、床部２０の排水口２１や排水口側排水管１１が製品誤差や施工誤差等によって想定した位置から上下方向にずれしていたとしも、目皿アダプター６１と目皿枠６２の間の空間によって位置ずれが吸収される。
【００５２】
本実施形態の浴室ユニット１の排水構造６は、目皿枠６２と目皿アダプター６１の間に形成される空間３００に配置され、開口部６２５の外側を囲う止水パッキン６４を備える。
【００５３】
これにより、床部２０側と床スラブ１０側の間での水の流れを止水パッキン６４によって防止しつつ、上下方向の位置ずれも止水パッキン６４の弾性力を利用して吸収することができる。
【００５４】
本実施形態の浴室ユニット１の排水構造６は、目皿枠６２には、外側から開口部６２５に向かうにつれて下がるスロープ６２２が形成され、スロープ６２２の下側に目皿枠６２と目皿アダプター６１の間の空間３００が形成される。
【００５５】
これにより、目皿枠６２と目皿アダプター６１の間に空間を形成しつつ、スロープ６２２の傾斜によって開口部６２５に排水を効率的に導くことができる。本実施形態では、スロープ６２２の傾斜は、床部２０の傾斜面２７，２８よりも勾配が強くなっており、床部２０から排水構造６に至った排水をより一層効率的に導くことができるようになっている。
【００５６】
本実施形態では、目皿アダプター６１は、アダプター筒部６１０の上部内周面から水平方向に延出する内側フランジ６１２を有し、内側フランジ６１２は、少なくともその一部が排水口側排水管１１の上端面に上下方向で重なる。
【００５７】
これにより、アダプター筒部６１０の内側に入った排水が排水口側排水管１１の外側に漏れ出す事態の発生を確実に防止することができる。
【００５８】
以上、本発明の好ましい実施形態について説明したが、本発明は、上述の実施形態に制限されるものではなく、適宜変更が可能である。場合によっては、排水構造６から目皿枠６２を省略し、目皿アダプター６１に目皿カバー６３を配置する構成としてもよい。また、上記実施形態では、アダプター筒部６１０の内側に排水口側排水管１１の上端部が位置する構成であるが、この構成に限定されない。例えば、排水口側排水管の内側にアダプター筒部が位置するように目皿アダプター、排水口側排水管又はその両方の形状を変更してもよい。
【符号の説明】
【００５９】
１  浴室ユニット
６  排水構造
１０  床スラブ
１１  排水口側排水管（排水管）
２０  床部
２１  排水口（開口部）
６１  目皿アダプター
６２  目皿枠
６３  目皿カバー
６４  止水パッキン
６１０  アダプター筒部
６１１  外側フランジ
６１２  内側フランジ
６２２  スロープ
６２５  開口部
【図１】
2019090181.tif 000003
【図２】
2019090181.tif 000004
【図３】
2019090181.tif 000005
【図４】
2019090181.tif 000006
【図５】
2019090181.tif 000007
【図６】
2019090181.tif 000008
【図７】
2019090181.tif 000009
【図８】
2019090181.tif 000010
【図９】
2019090181.tif 000011
【図１０】
2019090181.tif 000012
【図１１】
2019090181.tif 000013
【図１２】
2019090181.tif 000014
【図１３Ａ】
2019090181.tif 000015
【図１３Ｂ】
2019090181.tif 000016
【図１３Ｃ】
2019090181.tif 000017
【図１３Ｄ】
2019090181.tif 000018
【図１４Ａ】
2019090181.tif 000019
【図１４Ｂ】
2019090181.tif 000020
【図１４Ｃ】
2019090181.tif 000021
【図１４Ｄ】
2019090181.tif 000022
【図１４Ｅ】
2019090181.tif 000023
【図１５】
2019090181.tif 000024